(57)【特許請求の範囲】
【請求項１】
外部ケースと、該外部ケースの内部に設けられ、食品を加熱するキャビティと、
前記電子レンジの前面で前記キャビティの上部に設けられる吸込グリルと、
前記電子レンジの前面に設けられ、前記吸込グリルから吸い込まれた空気が排気される排気グリルと、
前記キャビティの上部で、前記吸込グリルと隣接した前方側に設けられて空気を吸い込む排気ファンと、
該排気ファンの後方で左右方向に設けられている隔壁と、
前記吸込グリルから吸い込まれた空気を排気グリルに導く内部通路とを備え、
前記排気ファンにより吐き出される空気の一部は、前記隔壁の後方から前方に循環した後、内部通路に沿って排気される電子レンジにおいて、
前記内部通路は、上部では上部仕切り板によって前記キャビティと前記外部ケースとの間で上部外側通路と上部内側通路とが形成され、側部では側部仕切り板によって前記キャビティと前記外部ケースとの間で側部外側通路と側部内側通路とが形成され、下部では下部仕切り板によって前記キャビティと前記外部ケースとの間で下部外側通路と下部内側通路が形成され、前記外側通路及び内側通路はそれぞれ連続的に設けられ、
前記排気ファンと隔壁は、前記上部仕切り板の上面に設けられ、
前記上部内側通路及び下部内側通路それぞれには、前記キャビティの内部に熱を供給するヒータを
備えることを特徴とする電子レンジ。
【請求項２】
前記隔壁によって仕切られる後方には、印刷回路基板が設けられている支持部を備えることを特徴とする請求項１に記載の電子レンジ。
【請求項３】
前記支持部が、前記排気ファンが設けられている前記キャビティの上部から一定の間隔だけ離れた状態で設けられ、循環する空気が前記支持部の上下部を通じて循環することを特徴とする請求項２に記載の電子レンジ。
【請求項４】
前記内側通路に設けられているヒーターを冷却させるためのエアフロー発生手段をさらに備えていることを特徴とする請求項１に記載の電子レンジ。
【発明の詳細な説明】
【０００１】
【発明の属する技術分野】
本発明は、電子レンジに関し、より詳しくは、厨房で家具の収納空間内にビルトイン可能に構成されるビルトイン電子レンジにおいて、内部の構成素子を効率よく冷却させることができるビルトイン電子レンジの内部構造及びそのエアフロー構造に関する。
【０００２】
【従来の技術】
電子レンジは、電流の供給によりマイクロ波を発生させ、このマイクロ波を加熱対象物に照射することにより、加熱対象物を加熱する装置である。このような電子レンジは、通常、テーブルの上に置いて使用する一般の電子レンジと、ガスオーブンレンジの上部壁面に埋め込まれて排気機能を有するフード兼用電子レンジとに大別される。
しかし、最近、ガスオーブンレンジまたはキムチ専用冷蔵庫等のような多くのキッチン製品がビルトインタイプで設計される傾向にある。このようにビルトインされることにより、キッチン家電製品とキッチン家具がよく調和するようになることは勿論、これらの一体感を与える長所がある。
また、従来の電子レンジは、マイクロ波をキャビティの内部に供給し、加熱対象物に照射することによる加熱方式が最も基本的である。さらに、このようなマイクロ波による加熱方式は、マイクロ波による単一加熱の特性しか有しないため、最近の電子レンジはその内部に別の加熱源としてヒータを組み込んでいる。即ち、最近の電子レンジは、マイクロ波による加熱方式に対し、より様々な加熱方式及び加熱条件を与えるため、ヒータの熱を用いるように設計されている。
このようなヒータの代表的なものとしては、石英管ヒータがあり、石英管ヒータからの熱をキャビティの内部に対流させることにより、コンベクション加熱を行うようになり、より高温状態で食品を加熱するようになる等の特性がある。
また、最近、より高温の熱を提供することができ、食品の表面のブラウニング特性を与えるために、ハロゲンランプ等を組み込ませることもある。このハロゲンランプは、通常、食品が位置するキャビティ内部の上面及び下面に設けられ、それから発生する熱エネルギー及び光エネルギーをキャビティの内部に入射させることにより、食品をより素早く加熱することができるという特性を有している。このようにハロゲンランプを組み込む場合は、ハロゲンランプから高熱が発生するため、ハロゲンランプ及びその周辺を十分冷却させることができる冷却装置をさらに有しなければならなかった。
【０００３】
このような最近のキッチン家具のビルトイン化の傾向に応じて、電子レンジにおいてもビルトインタイプが望まれてきた。また、このようにビルトイン電子レンジにおいても、より様々な加熱特性を与えるために、上述したハロゲンランプ等の別のヒータを組み込ませることが好ましい。
また、電子レンジをビルトインで構成する場合は、実際に電子レンジの前面のみがキッチン家具から前方に露出して設置される。従って、高温のヒーターを組み込ませる場合、電子レンジの前面から出入りする空気の流れを形成するしかなかった。
電子レンジの駆動中には、電子レンジの電装室に設けられているマグネトロン及び高圧トランス等の部品も発熱することは当然である。このように電子レンジの駆動中には、電装室に設けられる発熱部品は勿論、上記したヒータも共に冷却させなければならなかった。
このようなヒータ及び発熱部品を冷却させるために、電子レンジの内部及び外部を出入りする冷却用エアフローは、ビルトイン電子レンジにおいては、その前面を用いて出入りさせるしかなかった。実際、このように電子レンジの前面のみを出入りする電子レンジのエアフローは、従来のエアフローとは全く異なるものであるため、従来のエアフローを形成するための構成を適用し難い問題点があった。
【０００４】
【発明が解決しようとする課題】
本発明は、上記問題点に鑑みなされたものであり、キッチン家具にビルトイン可能なビルトイン電子レンジと、それに適用されて内部の発熱部品を十分冷却させることができる冷却構造とを提供することを目的とする。
【０００５】
【解題を解決するための手段】
上記の目的を達成するため、本発明によるビルトイン電子レンジは、外部ケースと、該外部ケースの内部に設けられ、食品を加熱するキャビティと、
前記電子レンジの前面で前記キャビティの上部に設けられる吸込グリルと、
前記電子レンジの前面に設けられ、前記吸込グリルから吸い込まれた空気が排気される排気グリルと、
前記キャビティの上部で、前記吸込グリルと隣接した前方側に設けられて空気を吸い込む排気ファンと、
該排気ファンの後方で左右方向に設けられている隔壁と、
前記吸込グリルから吸い込まれた空気を排気グリルに導く内部通路とを備え、
前記排気ファンにより吐き出される空気の一部は、前記隔壁の後方から前方に循環した後、内部通路に沿って排気される電子レンジにおいて、
前記内部通路は、上部では上部仕切り板によって前記キャビティと前記外部ケースとの間で上部外側通路と上部内側通路とが形成され、側部では側部仕切り板によって前記キャビティと前記外部ケースとの間で側部外側通路と側部内側通路とが形成され、下部では下部仕切り板によって前記キャビティと前記外部ケースとの間で下部外側通路と下部内側通路が形成され、前記外側通路及び内側通路はそれぞれ連続的に設けられ、
前記排気ファンと隔壁は、前記上部仕切り板の上面に設けられ、
前記上部内側通路及び下部内側通路それぞれには、前記キャビティの内部に熱を供給するヒータを
備えることを特徴とする。
このような本発明によると、前記隔壁により仕切られる空間にも十分な放熱用のエアフローを循環させることができ、その部分に設けられる印刷回路基板を十分冷却させることができる。また、全体的に電子レンジの内部を出入りする十分なエアフローを形成することができ、内部の発熱部品を十分冷却させることができるようになる。
【０００６】
【発明の実施の形態】
以下、本発明の好ましい実施の形態を、添付図面に基づいて詳しく説明する。
図１及び図２に示すように、本発明によるビルトイン電子レンジ（以下、単に、電子レンジという）の前面には、吸込グリル１０と排気グリル２０が設けられている。前記吸込グリル１０は、前面の上部に設けられ、電子レンジの内部に設けられている発熱部品を冷却させるための空気を吸い込むものであり、排気グリル２０は、前面の下部に設けられ、電子レンジの内部を通過しながら発熱部品を冷却させた後の空気を排気させるものである。
前記吸込グリル１０と排気グリル２０は、電子レンジのドア３０の上下部にそれぞれ設けられ、前記吸込グリル１０から吸い込まれる空気は、実質的にキャビティの上部から流入され、また、排気グリル２０から排気される空気は、キャビティの下部から排気される。
【０００７】
図１乃至図４を参照して、全体の構成及び空気の流れについて説明する。図示のように、前記吸込グリル１０から空気を吸い込む吸引力の一部は、上部仕切り板１２の上部に設けられている排気ファン２２により発生する。
前記排気ファン２２は、上部仕切り板１２の上部において図示左側、即ち電装室４０（図４参照）の反対側に設けられており、その駆動により前記吸込グリル１０から空気を吸い込んでいる。また、前記排気ファン２２の後方には、横方向に隔壁６０が設けられている。従って、前記隔壁６０から見て、前記排気ファン２２は電子レンジの前方側に設けられていることになる。
前記隔壁６０は、電子レンジの上部を前後方に仕切るものであり、前記排気ファン２２によって形成されるエアフローを、区分して導くことができるように構成されている。また、前記隔壁６０によって仕切られる後方部には、印刷回路基板（ＰＣＢ）が上部に設けられた支持部７０が設けられている。
前記支持部７０は、前記上部仕切り板１２とは一定の間隔を置いて、その上部に設けられている。従って、前記支持部７０の上部及び下部には空気が流れるようになり、支持部７０の上面に設けられた印刷回路基板（ＰＣＢ）は、この空気によって冷却されるようになっている。
また、前記印刷回路基板（ＰＣＢ）は、電子レンジの駆動に用いられる印刷された回路と、様々な電気的部品等が実装されているものであるため、熱により損傷され得る。従って、上面に設けられた支持部７０の上下部を介して流れる空気を用いて、前記印刷回路基板（ＰＣＢ）を充分冷却させることが、電子レンジの動作の信頼性を確保するためにも必要である。また、本発明による電子レンジは、後述のように、前記上部仕切り板１２の下面には、上部ヒーター３２ａが設けられており、この上部ヒーター３２ａでの発熱によって前記印刷回路基板（ＰＣＢ）が熱損傷され得るので、充分な放熱が必要である。
【０００８】
前記排気ファン２２は、吸込グリル１０から空気を吸い込んで側壁部分に排気させており、図１及び図２に示すように、この前記排気ファン２２により導かれる空気は、前記隔壁６０の前方部分に設けられている出口２２ｄから排出されると共に、一部は後方に、また他の一部は下方に移動している。
即ち、排気ファン２２の内部に流入された空気の一部は、外部ケースの側壁１ｃ（図４参照）の内側に設けられている側部外側通路２２ａに沿って下方に移動するようになる。また、下方に移動したエアフローは、キャビティ２の底面２ａと外部ケースの底面１ｄとの間の下部内側通路１８ｃを経て排気グリル２０から電子レンジの前面に排気される。
【０００９】
また、前記排気ファン２２の出口２２ｄから排気される空気の他の一部は、後方に導かれ、印刷回路基板（ＰＣＢ）が設けられている支持部７０を経た後、さらに側部外側通路２２ａに沿って下方に排気され、このような空気の流れが白抜き矢印で示されている。また、側部外側通路２２ａに沿って下方に移動した空気が排気グリル２０から排気されることは、上述したものと同様である。
また、前記排気ファン２２の出口２２ｄから出た空気が後方の支持部７０を経る空気の流れを形成するとき、前記隔壁６０が、前記支持部７０の上下を流れる空気が排気ファン２２が設けられた前方部分の空気と混ざってしまうことを防止している。従って、前記隔壁６０によって仕切られる後方の支持部７０と、その上部の印刷回路基板（ＰＣＢ）の周辺を流れる空気は、隔壁６０の後方を回り込んだ後、側部外側通路２２ａに沿って下方に導かれている。
このように、前記排気ファン２２によってその出口２２ｄから出る空気が二分されることは、前記排気ファン２２が上部仕切り板１２の上部において前方に設けられており、隔壁６０によって前後方部分が分離されているからである。即ち、前記出口２２ｄから出たエアフローは、直下方に一部が流れるようになるが、前記出口２２ｄの後方側の空気は、前記支持部７０側に吸い込まれるようになる。このように支持部７０側の上部及び下部に吸い込まれる空気は、上部仕切り板１２の上部で前記隔壁６０を回って前記排気ファン２２によってその出口２２ｄから排気されている。
このように、前記隔壁６０によって形成されるその周囲の空気の流れによって、前記支持部７０の上面に設けられている印刷回路基板（ＰＣＢ）は十分冷却され、このため、電子レンジの動作の信頼度を十分確保することができるようになる。
【００１０】
次に、図３及び図４を参照して、電装室の構造及び電装室の内部で形成されるエアフローについて説明する。先ず、図４に示すように、キャビティ２の上面２ｂには上部ヒータ３２ａが設けられ、またキャビティ２の下面２ａには下部ヒータ３２ｂが設けられている。前記それぞれのヒータ３２ａ、３２ｂは、キャビティ２内部の食品を加熱するための他の加熱源としての機能を有する。
前記上部仕切り板１２によって、キャビティ２の上部は上部外側通路１７と上部内側通路１８ａに分けられている。また、前記上部ヒーター３２ａは実質的に上部内側通路１８ａに設けられるものである。
前記上部ヒータ３２ａを冷却させるための上部ヒータ冷却ファン２４が、電装室４０の上側面に設けられている。前記上部ヒータ冷却ファン２４から発生するエアフローは、電装室４０の内部で吸い込まれ、キャビティ上面２ｂと上部仕切り板１２との間に設けられる上部内側通路１８ａを介して流れるようになる。前記上部内側通路１８ａに設けられている上部ヒータ３２ａは、このようなエアフローに露出しており、発生する熱が冷却されている。
また、前記上部内側通路１８ａは、実質的にキャビティ上面２ｂと上部仕切り板１２との間に設けられている。この上部内側通路１８ａは、キャビティ２の側面（図示の左側面）まで延設され、側部内側通路１８ｂと連通している。即ち、前記上部仕切り板１２の左側端部は、キャビティ２の左側面２ｃと一定の間隔を維持し、それに沿って下方に延設された側面仕切り板１２ａと連設されているので、前記側面仕切り板１２ａとキャビティ側面２ｃとの間に側部内側通路１８ｂが設けられている。また、前記側面仕切り板１２ａと上部仕切り板１２は、一体に設けられることも可能である。
従って、前記上部ヒータ冷却ファン２４により形成されるエアフローは、上部内側通路１８ａを介して供給されて上部ヒータ３２ａを冷却させた後、前記側壁内部通路１８ｂから下方に流れるようになる。また、前記側部内側通路１８ｂは、キャビティ底面２ａの直下部まで延長されており、前記側部内側通路１８ｂを介して吐き出される空気は、前面の下部グリル２０から排気されるようになる。
即ち、上部ヒータ３２ａを冷却させたエアフローは、側部内側通路１８ｂを介して下方に流れた後、水平状態で設けられている下部内側通路１８ｃに沿って流れてくる。前記側面仕切り板１２ａの下端部から水平に延長された下部仕切り板５０によって下部内側通路１８ｃと下部外側通路２２ｂが設けられ、前記側部内側通路１８ｂは前記下部内側通路１８ｃと連通するようになる。従って、前記下部内側通路１８ｃから出た空気は、排気グリル２０を介して前方に排気される。
【００１１】
電装室４０の下側には、下部ヒータ３２ｂを冷却させるための下部ヒータ冷却ファン２８が設けられている。この下部ヒータ冷却ファン２８は、上部の電装室４０からエアフローを吸い込み、キャビティ底面に設けられている下部ヒータ３２ｂを冷却させるためのものである。
前記下部ヒータ冷却ファン２８から発生するエアフローは、キャビティ底面２ａの下側に設けられている下部ヒータ冷却通路２８ａを介して流れるようになる。また、前記下部ヒータ３２ｂは、前記下部ヒータ冷却通路２８ａの内部に該当する位置のキャビティ底面２ａに設けられており、前記下部ヒータ冷却ファン２８から発生するエアフローにより冷却されるようになる。
また、前記下部ヒータ冷却通路２８ａも、図２に示すように、前記下部内側通路１８ｃの一部と連通している。即ち、下部ヒータ冷却通路２８ａの底面が前記下部ダクト板５０と連結されるので、下部ヒーター冷却通路２８ａを冷却させた空気も実質的には前記下部内側通路１８ｃを介して出た後、排気グリル２０から排気されている。
【００１２】
次に、図３及び図４を参照して、他のエアフローについて説明する。図示のように、前記電装室４０の内部には、マイクロ波を発生させるためのマグネトロン４４と、このマグネトロン４４に高圧を印加するための高圧トランス４６が設けられている。電子レンジの駆動時、前記マグネトロン４４と高圧トランス４６が発熱することになり、このような発熱部品を冷却させるための電装室冷却ファン２６が電装室の内部に設けられている。
前記電装室冷却ファン２６は、電装室４０の内部から前方に向かってエアフローを発生させ、マグネトロン４４等を冷却させるように、電装室の内部フレーム４２に設けられている。この前記内部フレーム４２は、前記マグネトロン４４及び高圧トランス４６を冷却させるエアフローを発生するように、一定の傾斜を有して設けられてもよい。また、図示した実施の形態では、電装室冷却ファン２６は前記内部フレーム４２に設けられているが、このような構成に限定されないものではない。
本発明による電装室冷却ファン２６は、電装室４０の内部に設けられるマグネトロン４４及び高圧トランス４６等のような発熱部品を冷却させるエアフローを発生させる範囲内で、他の多くの変形が可能であることは勿論である。
また、前記電装室冷却ファン２６により発生されるエアフローは、マグネトロン４４を経ながらそれを冷却した後、エアダクト４８を介してキャビティ２の内部に流入する。そして、キャビティ２の内部に流入した空気は、内部の経路に沿って、キャビティの外側に排気され、電子レンジの外部に完全に排気されている。
【００１３】
前記キャビティ２の内部から電子レンジの外部に排気される一実施の形態について説明すると、前記キャビティ２内部の空気を外部に排気させるための他の実施の形態であって、キャビティ２の上面２ｂに従来の電子レンジのように複数の通気孔からなる排気部を設けてもよい。このようにキャビティ上面２ｂに複数の通気孔からなる排気部を構成する場合は、キャビティ上面２ｂを介して排気され、側部内側通路１８ｂを流れながら、排気グリル２０から電子レンジの外部に排気されている。
以上のように、電装室側には３つのファンが設けられている。即ち、上部ヒータを冷却させるための上部ヒータ冷却ファン２４と、マグネトロン４４及び高圧トランス４６等を冷却させるための電装室冷却ファン２６と、下部ヒータを冷却させるための下部ヒータ冷却ファン２８が設けられている。これら冷却ファンは、実質的に前記吸込グリル１０を介して外部から電装室４０の内部への空気の流れを発生させ、それぞれキャビティの内部と、上部内側通路１８ａと、下部ヒータ冷却通路２８ａに空気の流れを発生させている。
また、図１に示すように、前記吸込グリル１０から吸い込まれる空気の一部は、排気ファン２２により側面に設けられた側部外側通路２２ａを流れ、他の一部の空気は、電装室流入通路６を介して電装室４０に供給されている。このような前記電装室４０に供給される空気の流れの形成は、上述のように、上部ヒータ冷却ファン２４、電装室冷却ファン２６、下部ヒータ冷却ファン２８によって行われることは当然である。
【００１４】
以下、このように構成される本発明による電子レンジにおいて、ヒータを用いて加熱する動作過程及びエアフローの流れについて説明する。
先ず、本発明による電子レンジが動作すると、マグネトロン４４に高圧が印加されると共に、マイクロ波がキャビティ２の内部に供給される。また、選択的に上部ヒータ３２ａ及び下部ヒータ３２ｂに電源が印加されて発熱し、このように作られた熱は、前記キャビティ２の内部に供給される。
また、電子レンジの駆動により、前記上下部ヒータ３２ａ、３２ｂとマグネトロン４２は発熱し始め、これらを冷却させるためのエアフローが形成されなければならない。従って、排気ファン２２、上下部冷却ファン２４、２８及び電装室冷却ファン２６が動作するようになる。前記４つのファンが動作すると、吸込グリル１０では、電子レンジの内部に向くエアフローが形成される。
かくして吸込グリル１０から内側に吸い込まれるエアフローの一部は、流入通路６を介して電装室４０の内部に、また他のエアフローは、前記排気ファン２２によって側壁外部通路２２ａを流れるようになる。
【００１５】
先ず、電装室４０に供給されるエアフローにおいて、上部ヒータ冷却ファン２４によって形成されるエアフローは、電装室４０から上部内側通路１８ａに沿って流れている。また、このように流れながらキャビティ上面２ｂに設けられた上部ヒータ３２ａを経ながら上部ヒータ３２ａを冷却させている。上部ヒータ３２ａを冷却させたエアフローは、キャビティ側面２ｃの外側に設けられている側部内側通路１８ｂを介して下方に流れるようになる。また、この側部内側通路１８ｂの下端部では、キャビティ底面２ａに沿って水平状態で設けられている下部内側通路１８ｃに沿って流れてくる。下部ダクト板５０によって設けられる下部内側通路１８ｃから出た空気は、前記キャビティ底面２ａの左側一部においてのみ、排気グリル２０から前方に排気される。
電装室冷却ファン２６により発生するエアフローは、電装室の内部を流れながら、マグネトロン４４及び高圧トランス４６を冷却する。また、このようなエアフローは、エアダクト４８（図３参照）を介してキャビティ２の内部に供給される。キャビティ２の内部に供給されたエアフローは、加熱される食品から発生する水蒸気等と共にキャビティ２から排気される。即ち、キャビティ２の上面２ｂに設けられている複数の通気孔２ｆから排気され、上側内部通路１８ａを介して吹いてくるエアフローと共に、側部内側通路１８ｂに沿って下方に移動した後、排気グリル２０から排気されている。
排気ファン２２によって形成されるエアフローは、図１及び図５に示すように、その出口２２ｄから抜け出た後、一部は側部外側通路２２ａを介して下方に、また他の一部は後方の支持部７０の上下を流れ、印刷回路基板（ＰＣＢ）を冷却させた後、また側部外側通路２２ａに沿って下方に移動するようになる。このとき、前記隔壁６０は、空気が前記出口２２ｄを出た後、前記支持部７０に沿って流れる空気を導く機能を行うことは、上述したものと同様である。前記側部外側通路２２ａに沿って下方に流れる空気の流れは、キャビティ底面２ａに到達した後、排気グリル２０から電子レンジの前面に排気される。
【００１６】
また、前記電装室４０の下側面に設けられている下部ヒーター冷却ファン２８も、上部の電装室内部の空気を吸い込んで、下部ヒーター冷却通路２８ａの内部を流れる空気の流れを形成している。前記下部ヒーター冷却通路２８ａによってその内部を流れる空気は、下部ヒーター３２ｂを経ながらこの下部ヒータ３２ｂを冷却させる。
前記下部ヒーター冷却通路２８ａは、実質的に下部ヒーター３２ｂを冷却させるように設けられ、図２に示した実施の形態では、前記下部ヒーター冷却通路２８ａは、上部ヒーター３２ａを冷却させた空気が流れる側部内側通路１８ｂと合流するように設けられている。即ち、図面において、キャビティ底面２ａの左側下部で合流した空気は、下部内側通路１８ｃを抜け出た後、前面の排気グリル２０から排気されている。
このような本発明の基本的な技術的思想を逸脱しない範囲内で、当該技術分野の通常の知識を有する者にとっては、他の多くの変形が可能であることは当然である。即ち、本発明の技術的範囲内で、他の多くの変形が可能であることは勿論のことである。
【００１７】
【発明の効果】
以上のように、本発明によると、実質的にその前面から冷却用空気を出入りさせるように構成することによって、ビルトイン電子レンジ及びその内部の発熱部品を冷却させるための最適なエアフローを提供することができる。
【図面の簡単な説明】
【図１】  本発明による電子レンジの上面斜視図である。
【図２】  本発明による電子レンジの下面斜視図である。
【図３】  本発明による電子レンジの電装室の構造を示す側面図である。
【図４】  本発明による電子レンジの内部構成を示す断面図である。
【図５】  本発明による電子レンジの上面構成を示す平面図である。
【符号の説明】
２…キャビティ、１０…吸込グリル、１２…上部仕切り板、１８ａ…上部内側通路、１８ｂ…側部内側通路、２０…排気グリル、２２…排気ファン、２２ａ…側部外側通路、２４…上部ヒータ冷却ファン、２６…電装室冷却ファン、２８…下部ヒータ冷却ファン、３２ａ…上部ヒータ、３２ｂ…下部ヒータ、４０…電装室、４４…マグネトロン、４６…高圧トランス、５０…下部ダクト板、６０…隔壁。
【図１】
0003750060.tif 000002
【図２】
0003750060.tif 000003
【図３】
0003750060.tif 000004
【図４】
0003750060.tif 000005
【図５】
0003750060.tif 000006